(57)【要約】      （修正有）【課題】必要な時に素早く着用と収納ができる眼鏡ケースを提供する。【解決手段】眼鏡を収容するケース本体の上部に通し穴を設け、下部には眼鏡受け部を設けると共に、このケース本体をポケットの襟にはさみ込む為の一端部にロックボスを設けたクリップを備え、ロックボスをケース本体の通し穴にはめ込み可能とした。【選択図】図１
0003168618.tif 000002
【実用新案登録請求の範囲】
【請求項１】
主に眼鏡ケースはホケットに入れケースには蓋も無く縦方向にメガネを包む様に左右に別れていて、底辺にメガネ受けが付いていることを特徴とするポケット眼鏡ケース。
【請求項２】
眼鏡ケースは、ホケットを介してクリップでつなぎ又クリップ位置は、ホケットの深さに合うように２箇所設けていることを特徴とする請求項１記載のポケット眼鏡ケース。
【考案の詳細な説明】
【技術分野】
【０００１】
本考案は、開口されたケースであつて主に胸のホケットに入れ、メガネは縦方向に収納する。収納されたメガネはプラスチックに一定の荷重をかけた時の変形によってやさしくつつまれる。
ケースは、ロッククリップを介して前屈みに成ったとしても、ホケット中央部を挟みメガネが下に、落ちることは無い。
【背景技術】
【０００２】
従来の眼鏡ケースは、理髪店に用いられる。置物式ぬいぐるみや  又  筒状の物も見かける。別と例を挙げるならば、通常のケースは置き場所が定まる事も無く。
収納に関しては開け閉めを繰り返し、ある時は床に落としてしまう事さえある。高齢者の職場復帰が叫ばれる中、老眼鏡は書類の小さい文字  又  現場等では
ノギスを見る様な様々な事等が、今求められて要る。
【先行技術文献】
【特許文献】
【０００３】
【特許文献１】実登第３１５６１８５号公報
【考案の概要】
【考案が解決しようとする課題】
【０００４】
現状、色々と違う状況かで、メガネの着用と収納が行われるが、動作研究の中ではどうしてもスピードが要求される。
必要な時に素早く着用と収納が出来る事を目的とした眼鏡ケースに関する。
【考案の効果】
【０００５】
日々、時短を要求される現在、常備ホケットに入れている事により探す手間も無く。
作業に従事できる事は、何より適した収納方法を提供できる。
【図面の簡単な説明】
【０００６】
【図１】本考案の実施の形態に係る挿入時の斜視図である。
【図２】本考案の実施の形態に係る眼鏡ケースの平面図である。
【図３】本考案の実施の形態に係る眼鏡ケースの正面図、及び３番のクリップ背面図と４番はロックボスである。
【図４】本考案の実施の形態に係る眼鏡ケース背面  斜視図である。
【考案を実施するための形態】
【０００７】
本考案の実施の形態に係るホケット挿入眼鏡ケースを、図１から図４に基づいて詳述する。図１に示す様にホケットに挿入した時、眼鏡ケースはホケットの襟をクリップと挟み込む形となる。
図２に示す如く、平面図から読み取れる様に2 ―1と成る部位に眼鏡を縦方向に置いた場合、フレームの左側面を受ける台となる。
図３に示すのは、ケース正面図とクリップの背面図である。４番がロックボスであり５番〜６晩はホケットの深さ、調節用の通し穴となる。
５番の上に小さい穴がロック部位となり、その穴に続く下の大きい穴がボスの通し穴と成る。６番も５番同様である。
図４に示す背面斜視図は、眼鏡をケースに収納したものである。
【実施例】
【０００８】
また、本実施例では、開口されている為に眼鏡のフレームの部位がつかみ、やすく具体的には、装着しやすいのが特徴といえる。
【産業上の利用可能性】
【０００９】
眼鏡ケースを、身に付けて居る事により不便から開放され、勤務中での能率UPは云うまでもない。
団塊世代に進展する中、利便性が求められる。
【符号の説明】
【００１０】
1   眼  鏡
2  ケース本体
2―2    眼鏡受け部
3  クリップ
4   ロックボス
5  通し穴―5
6  通し穴―6
7  ホケット
【図１】
0003168618.tif 000003
【図２】
0003168618.tif 000004
【図３】
0003168618.tif 000005
【図４】
0003168618.tif 000006
【手続補正書】
【提出日】平成23年4月5日(2011.4.5)
【手続補正１】
【補正対象書類名】実用新案登録請求の範囲
【補正対象項目名】全文
【補正方法】変更
【補正の内容】
【実用新案登録請求の範囲】
【請求項１】
眼鏡を収容するケース本体の上部に通し穴を設け、下部には眼鏡受け部を設けると共に、このケース本体をポケットの襟にはさみ込む為の一端部にロックボスを設けたクリップを備え、該ロックボスを前記ケース本体の通し穴にはめ込み可能とした事を特徴とする眼鏡ケース。
【手続補正２】
【補正対象書類名】明細書
【補正対象項目名】全文
【補正方法】変更
【補正の内容】
【考案の詳細な説明】
【技術分野】
【０００１】本考案は、開口されたケースであつて主に胸のポケットに入れ、メガネは縦方向に収納する。収納されたメガネはプラスチックに一定の荷重をかけた時の変形によってやさしくつつまれる。ケースは、ロッククリップを介して前屈みに成ったとしても、ポケット中央部を挟みメガネが下に、落ちることは無い。
【背景技術】
【０００２】従来の眼鏡ケースは、理髪店に用いられる。置物式ぬいぐるみや  又  筒状の物も見かける。別と例を挙げるならば、通常のケースは置き場所が定まる事も無く、収納に関しては開け閉めを繰り返し、ある時は床に落としてしまう事さえある。高齢者の職場復帰が叫ばれる中、老眼鏡は書類の小さい文字  又  現場等ではノギスを見る様な様々な事等が、今求められて要る。
【先行技術文献】
【特許文献】
【０００３】
【特許文献１】実登第３１５６１８５号
【考案の概要】
【考案が解決しようとする課題】
【０００４】現状、色々と違う状況かで、メガネの着用と収納が行われるが、動作研究の中ではどうしてもスピードが要求される。必要な時に素早く着用と収納が出来る事を目的とした眼鏡ケースに関する。
【考案の効果】
【０００５】日々、時短を要求される現在、常備ポケットに入れている事により探す手間も無く。作業に従事できる事は、何より適した収納方法を提供できる。
【図面の簡単な説明】
【０００６】
【図１】本考案の実施の形態に係る挿入時の斜視図である。
【図２】本考案の実施の形態に係る眼鏡ケースの平面図である。
【図３】本考案の実施の形態に係る眼鏡ケースの正面図、及び３番のクリップ背面図と４番はロックボスである。
【図４】本考案の実施の形態に係る眼鏡ケース背面  斜視図である。
【考案を実施するための形態】
【０００７】本考案の実施の形態に係るポケット挿入眼鏡ケースを、図１から図４に基づいて詳述する。図１に示す様にポケット7に挿入した時、眼鏡ケースはポケットの襟をクリップと挟み込む形となる。図２に示す如く、平面図から読み取れる様に2 ―1と成る部位に眼鏡を縦方向に置いた場合、フレームの左側面を受ける台となる。図３に示すのは、ケース正面図とクリップの背面図である。４番がロックボスであり５番〜６番はポケットの深さ、調節用の通し穴となる。５番の上に小さい穴がロック部位となり、その穴に続く下の大きい穴がボスの通し穴と成る。６番も５番同様である。図４に示す背面斜視図は、眼鏡をケースに収納したものである。
【実施例】
【０００８】また、本実施例では、開口されている為に眼鏡のフレームの部位がつかみ、やすく具体的には、装着しやすいのが特徴といえる。
【産業上の利用可能性】
【０００９】眼鏡ケースを、身に付けて居る事により不便から開放され、勤務中での能率アップは云うまでもない。団塊世代に進展する中、利便性が求められる。
【符号の説明】
【００１０】1   眼  鏡２  ケース本体2―１    眼鏡受け部3  クリップ4   ロックボス5  通し穴―56  通し穴―67  ポケット